(57)【特許請求の範囲】
【請求項１】
断面外形が四角形の中空部材で長辺側の対向面中央部に長手方向に沿って一対の同形の凹溝を形成するとともに、該凹溝の開口縁に互いに対向するように係合突条を形成した枠部材を間仕切パネルの縦枠及び横枠とし、前記枠部材の表裏両面に取付手段にてパネル板を装着するとともに、前記係合突条を利用して前記枠部材の側面部から殆ど突出しないように嵌着したパッキンを介してガラス板の縁部を凹溝に保持してなることを特徴とするガラスパネルシステム。
【請求項２】
前記枠部材の凹溝内にガラス板の縁部を挿入した状態で、一対の前記パッキンを前記係合突条を利用して嵌着し、該ガラス板の表裏面を前記パッキンで押圧保持してなる請求項１記載のガラスパネルシステム。
【請求項３】
前記枠部材の内部であって、一の凹溝の内面部と該凹溝を形成した一側面部に沿った形状の補強部材を一方又は両方の凹溝に沿わせて嵌合状態で内挿してなる請求項１又は２記載のガラスパネルシステム。
【発明の詳細な説明】
【０００１】
【発明の属する技術分野】
本発明は、ガラスパネルシステムに係わり、更に詳しくはガラスパネルを主体とした間仕切り用のガラスパネルシステムに関するものである。
【０００２】
【従来の技術】
従来から、天レールと地レール間に所定間隔毎に立設した支柱に、パネル板を装着して構成した間仕切装置は各種提供されている。そして、間仕切装置の一部にドアを設けたり、一部にガラス板を装着して採光性を高めたりして、機能的、視覚的な変化を持たせていることも公知である。
【０００３】
従来のこのような間仕切装置では、パネル板を支持する支柱と、ガラス板を支持するガラス枠体、更にはドアを取付けるドア枠体はそれぞれ目的が異なるので、異なる構造の杆体を用いて構成していた。例えば、ガラス板を保持する構造としては、支柱の側面にガラス板の側縁を嵌合保持するための凹溝を形成した枠部材を取付けるものが一般的である。
【０００４】
そのため、間仕切装置を構成する各種の杆体を用意しなければならないので、部品点数が多く、製造コストの低減化の妨げになっていた。また、複数の杆体を接続する必要があるので、施工現場での組立工数が多くなるばかりでなく、外観的にも杆体の接合線が露出することによって意匠性を損なうといった問題を有していた。
【０００５】
【発明が解決しようとする課題】
そこで、本発明が前述の状況に鑑み、解決しようとするところは、間仕切装置を構成する各種の杆体を共通化して部品点数を低減し、製造コスト、組立コストと抑制し、しかも意匠性にも優れたガラスパネルシステムを提供する点にある。
【０００６】
【課題を解決するための手段】
本発明は、前述の課題解決のために、断面外形が四角形の中空部材で長辺側の対向面中央部に長手方向に沿って一対の同形の凹溝を形成するとともに、該凹溝の開口縁に互いに対向するように係合突条を形成した枠部材を間仕切パネルの縦枠及び横枠とし、前記枠部材の表裏両面に取付手段にてパネル板を装着するとともに、前記係合突条を利用して前記枠部材の側面部から殆ど突出しないように嵌着したパッキンを介してガラス板の縁部を凹溝に保持してなるガラスパネルシステムを構成した。
【０００７】
そして、前記枠部材の凹溝内にガラス板の縁部を挿入した状態で、一対の前記パッキンを前記係合突条を利用して嵌着し、該ガラス板の表裏面を前記パッキンで押圧保持してなることが好ましい。
【０００８】
また、前記枠部材の内部であって、一の凹溝の内面部と該凹溝を形成した一側面部に沿った形状の補強部材を一方又は両方の凹溝に沿わせて嵌合状態で内挿してなることが好ましい。
【０００９】
【発明の実施の形態】
次に本発明の実施の形態を添付図面に基づき更に詳細に説明する。図１は本発明に係るガラスパネルシステムの簡略斜視図、図２〜図８はその各部の詳細を示し、図中符号１は枠部材、２はガラス板、３はパネル板、４はドアをそれぞれ示している。
【００１０】
本発明に係るガラスパネルシステムは、断面外形が四角形の中空部材の対向面中央部に長手方向に沿って凹溝５を形成した枠部材１を、ガラス板保持用の支柱、あるいは間仕切パネルの縦枠及び横枠、あるいは表装部材６を外被してドア枠として共用し、前記枠部材１の凹溝５にガラス板２の縁部をパッキン７を介して該ガラス板２が枠部材１と視覚的に連続するように保持したものである。
【００１１】
前記枠部材１は、図２に示すように、本実施形態ではアルミニウムの押出し型材であり、断面外形が四角形の長辺側の対向面中央部に長手方向に沿って一対の同形の凹溝５，５を形成したものであり、前記凹溝５の開口縁に互いに対向するように係合突条８，８を形成してあり、前記パッキン７を該係合突条８，８を利用して嵌着できるようになっている。更に、前記枠部材１の強度が不足する場合には、必要に応じて該枠部材１の内部であって、凹溝５の内面部と該凹溝５を形成した側面部９に沿った形状の補強部材１０を一方又は両方の凹溝５に沿わせて嵌合状態で内挿することができるようになっている。
【００１２】
そして、前記枠部材１でガラス板２を保持するには、図１〜図３に示すように、天レール１１と地レール１２によって天井Ｓと床面Ｆ間に前記枠部材１を立設し、該枠部材１の凹溝５内にガラス板２の側縁部を挿入した状態で、一対のパッキン７，７を前記係合突条８，８を利用して嵌着し、該ガラス板２の表裏面を押圧保持するのである。ここで、前記パッキン７は、前記枠部材１の側面部９から殆ど突出しないので、視覚的に前記ガラス板２が直接枠部材１から連続したようになる。この場合、前記枠部材１は、ガラス板２を保持する支柱として用いている。
【００１３】
また、前記ガラス板２と壁面Ｗとの間は、図２に示すように、壁面Ｗに上下方向に沿って端部部材１３を固定し、該端部部材１３の側面に形成した前記凹溝５と実質的に同一機能の溝部１４に、前記同様に一対のパッキン７，７を用いて保持するのである。
【００１４】
また、前記ガラス板２，２同士を直接的に連結するには、図３に示した直角連結の場合には、押出し成形した型材からなる断面略Ｌ字形の目地部材１５を用い、該目地部材１５に互いに開口方向が直交するように設けた係合溝１６，１６にそれぞれガラス板２の端部を密嵌して連結している。尚、ガラス板２，２同士を直接的に直線連結する場合には、図示しないが、開口方向が逆向きの係合溝を形成した目地部材を用いれば良い。
【００１５】
また、前記枠部材１は、図３〜図５に示すように、間仕切パネル１７を構成する縦枠及び横枠として用いることができ、該間仕切パネル１７は前記枠部材１で形成した枠体の表裏両面に前記パネル板３，３を装着して構成する。図３に示した間仕切パネル１７は、縦枠の一方を前記枠部材１で構成し、他方を本実施形態ではスチール板を加工して形成した端部側縦枠１８で構成し、それらの表裏両面に前記パネル板３，３を適宜な取付手段にて連結し、そして前記端部側縦枠１８を壁面Ｗに上下方向に沿って固定した固定部材１９に側方から嵌合して保持し、また内側の縦枠となった前記枠部材１には、前記同様にガラス板２を直接連結している。つまり、視覚的には、前記間仕切パネル１７とガラス板２とが直接連結された外観となるのである。ここで、前記端部側縦枠１８の代わりに前記枠部材１を用いる場合には、その場合には壁面Ｗに該枠部材１の凹溝５に嵌入する形状の固定部材１９を取付ければ良い。
【００１６】
更に、図４に示すように、間仕切パネル１７の上端と天井Ｓとの間にガラス板２を連結するには、該間仕切パネル１７の上部横枠として前記枠部材１を用い、該枠部材１の上面側の凹溝５にガラス板２の下端部を前記同様に一対のパッキン７，７を用いて保持するのである。尚、前記ガラス板２の上端部は前記天レール１１に一対のパッキン７，７を用いて保持する。この場合の間仕切パネル１７は、天レール１１と地レール１２間に立設した一対の枠部材１，１を縦枠とし、該枠部材１，１の上部間に横枠として前記枠部材１を横設し、それらで構成された枠体の表裏両面にパネル板３，３を装着したものであり、図例のものは更にパネル板３を上下に複数分割した構造となっており、上下の分割パネル板３，３の連結部分には横桟２０を横設している。ここで、前記天レール１１は、天井Ｓに取付ける固定レール２１と、該固定レール２１に上下方向から嵌合し、側方からネジ止めにて取付けるカバーレール２２との二部材で構成し、前記固定レール２１に下方へ湾曲して形成した固定側保持片２３と前記カバーレール２２に下方へ湾曲して形成したカバー側保持片２４とで形成される凹溝部２５に前記ガラス板２の上縁部を挿入し、前記同様にパッキン７，７を用いて保持している。この場合の地レール１２は、巾木を兼ねた断面略コ字形の長尺部材であり、溝部を上方に向けて床面Ｆにアンカーボルト２６で固定している。
【００１７】
また、図５に示すように、間仕切パネル１７の下端と床面Ｆとの間にガラス板２を装着する場合には、当該間仕切パネル１７の下部横枠として前記枠部材１を横設するとともに、床面Ｆには図４の天レール１１と同様な構造の地レール１２を取付け、下部横枠として前記枠部材１と地レール１２間にそれぞれ前記同様なパッキン７，７を用いてガラス板２を保持している。この場合の地レール１２の形状は、前記同様であるので、同一構成には同一符号を付してその説明は省略する。
【００１８】
また、図１に示すように、天井Ｓと床面Ｆの間の全面をガラス板２で構成することも可能である。その場合には、図５に示すような天レール１１と地レール１２をそれぞれ天井Ｓと床面Ｆに取付け、前記同様にガラス板２の上下端縁部を凹溝部２５内に挿入した状態で、それぞれ前記同様なパッキン７，７を用いてガラス板２を保持する。
【００１９】
また、上下に複数の分割ガラス板２，…を装着する場合には、図６に示すように、天井Ｓと床面Ｆ間に立設し、それぞれ天レール１１と地レール１２で保持された一対の枠部材１，１間に横桟部材２６，…を渡設し、各部材で枠構成された部分にガラス板２を装着する。前記横桟部材２６は、本実施形態ではアルミニウムの押出し型材であり、中央部の区画板２７の下方に湾曲した一対の下側保持片２８，２８をその先端間に凹溝部２９を形成し、一方、区画板２７の上方で表裏一側に上側保持片３０を形成するとともに、区画板２７の上方で表裏他側に横桟カバー３１を該区画板２７に上方から嵌合し且つ側方からネジ止めにて取付け、上側保持片３０と横桟カバー３１の上端間に凹溝部３２を形成したものである。即ち、前記横桟部材２６の上半分の構造は、図４に示した天レール１１の構造と同じである。そして、前記横桟部材２６を左右の支柱としての枠部材１，１間にＬ金具（図示せず）を用いて連結し、下段においては両枠部材１，１の凹溝５，５、地レール１２の凹溝部２５、横桟部材２６の凹溝部２９にガラス板２の周縁部を挿入し、前記同様なパッキン７，７を用いて保持している。同様に、中段においては、両枠部材１，１の凹溝５，５、下部横桟部材２６の凹溝部３２、上部横桟部材２６の凹溝部２９にガラス板２の周縁部を挿入し、前記同様なパッキン７，７を用いて保持している。また、上段においては、両枠部材１，１の凹溝５，５、横桟部材２６の凹溝部３２、天レール１２の凹溝部２５にガラス板２の周縁部を挿入し、前記同様なパッキン７，７を用いて保持している。
【００２０】
更に、図７に示すように、前記枠部材１に表装部材６を外被してドア枠３３を構成することができるようにしている。前記表装部材６は、本実施形態ではスチール板を加工して作製したものであり、ドア４側に当該表装部材６が位置するように、その反対側に前記枠部材１を嵌合する収容空間部３４を形成し、該収容空間部３４に前記枠部材１を嵌合した状態でネジ３５にて互いに連結してドア枠３３を構成する。ここで、前記表装部材６は、ドア４側に戸当たりと目隠しを兼ねた突部３６を形成し、その反対側の端面は、前記枠部材１の側面部９と面一となるように設定されている。このドア枠３３を構成する前記枠部材１には、前記同様にガラス板２が直接保持されている。そして、左右のドア枠３３，３３間にドア４を装着するのである。図７に示したドア４は、透過性のないドアパネル３７で構成したものであるが、図８に示すように、ドアパネル３７をガラス板２で構成することも可能である。尚、ドア４の開閉のためのヒンジ機構は、従来公知のものを用いて、前記一方のドア枠３３又は左右のドア枠３３，３３間に設けたドア用横枠３８を利用して取付ける。
【００２１】
【発明の効果】
以上にしてなる請求項１に係る発明のガラスパネルシステムは、断面外形が四角形の中空部材で長辺側の対向面中央部に長手方向に沿って一対の同形の凹溝を形成するとともに、該凹溝の開口縁に互いに対向するように係合突条を形成した枠部材を間仕切パネルの縦枠及び横枠とし、前記枠部材の表裏両面に取付手段にてパネル板を装着するとともに、前記係合突条を利用して前記枠部材の側面部から殆ど突出しないように嵌着したパッキンを介してガラス板の縁部を凹溝に保持してなるので、ガラス板が間仕切パネルの枠部材と視覚的に連続するように保持したので、意匠性にも優れたものとなり、つまり枠部材の側面部からガラス板が直接連続した外観となり、意匠的にスッキリとしたものとなる。
【００２２】
請求項２によれば、前記枠部材の凹溝内にガラス板の縁部を挿入した状態で、一対の前記パッキンを前記係合突条を利用して嵌着し、該ガラス板の表裏面を前記パッキンで押圧保持してなるので、前記パッキンが前記枠部材の側面部から殆ど突出しないので、視覚的に前記ガラス板が直接枠部材から連続したようになる。
【００２３】
請求項３によれば、枠部材の強度が不足する場合に、枠部材の内部に補強部材を装着することで、曲げ強度の大幅な向上が達成され、厚みの厚い重たいガラス板でも十分な支持強度が得られる。
【図面の簡単な説明】
【図１】本発明に係るガラスパネルシステムの全体構成を説明するための簡略図である。
【図２】ガラス板を枠部材で支持する構造を示す部分横断面図である。
【図３】ガラス板と間仕切パネルの関係を示す部分横断面図である。
【図４】間仕切パネルの上部にガラス板を装着した部分の縦断面図である。
【図５】間仕切パネルの上下部にガラス板を装着した部分の縦断面図である。
【図６】ガラス板を上下に分割して装着した部分を一部破断して示した斜視図である。
【図７】ドア周りの構造を示す部分横断面図である。
【図８】同じくドア周りの構造を示す部分横断面図である。
【符号の説明】
Ｆ  床面
Ｓ  天井
Ｗ  壁面
１  枠部材
２  ガラス板
３  パネル板
４  ドア
５  凹溝
６  表装部材
７  パッキン
８  係合突条
９  側面部
１０  補強部材
１１  天レール
１２  地レール
１３  端部部材
１４  溝部
１５  目地部材
１６  係合溝
１７  間仕切パネル
１８  端部側縦枠
１９  固定部材
２０  横桟
２１  固定レール
２２  カバーレール
２３  固定側保持片
２４  カバー側保持片
２５  凹溝部
２６  アンカーボルト
２７  区画板
２８  下側保持片
２９  凹溝部
３０  上側保持片
３１  横桟カバー
３２  凹溝部
３３  ドア枠
３４  収容空間部
３５  ネジ
３６  突部
３７  ドアパネル
３８  ドア用横枠
【図１】
0003630094.tif 000002
【図２】
0003630094.tif 000003
【図３】
0003630094.tif 000004
【図４】
0003630094.tif 000005
【図５】
0003630094.tif 000006
【図６】
0003630094.tif 000007
【図７】
0003630094.tif 000008
【図８】
0003630094.tif 000009